(57)【要約】【課題】健康シーツは練込染印刷塗布等で生地に対し平面的加工で肌とシーツ表面が密着状態となり遠赤外線輻射熱が得られにくい【解決手段】発泡ウレタン樹脂加工を行い立体的処理をしたことにより突起物の厚みの横面より輻射熱として人体を温める【特許請求の範囲】
【請求項１】
布やシート、板、棒などの任意物体よりなる基材と、発泡ウレタン樹脂や発泡シリコンゴム等の粘着性を有する発泡樹脂に放射線、遠赤外線、自由電子、ラジウム線の放射線等を放射する放射性セラミックパウダーを混合した形成用樹脂を前記基材の表面に発泡固着させた複数の放射性突起とよりなる放射性基材。
【請求項２】
表面に撥水加工を施したことを特徴とする請求項１記載の放射性基材。
【請求項３】
放射性突起が放射線分解及び磁波における共振共鳴等あるいは突起による身体にマッサージ効果を与える大きさ形状よりなるものであることを特徴とする請求項１又は２記載の放射性基材。
【発明の詳細な説明】
【技術分野】
【０００１】  肌への接触時において効率的に任意の放射物を放射する基材に関する。
【背景技術】
【０００２】  従来から遠赤外線、マイナスイオンを発生するセラミックパウダーを糸に練込んだり生地に塗布、印刷、染物等の健康シーツ、グッズ等はあった。
【発明の開示】
【発明が解決しようとする課題】
【０００３】  遠赤外線シーツ、あるいはマイナスイオンシーツはセラミックを粉砕して繊維への練込、染、印刷、塗布、含浸で生地に対し平面的な加工でこの上に寝た場合肌とシーツ表面が密着状態となり遠赤外線輻射（放射）熱が得られにくい。
防水、撥水加工が施されていないので介護シーツとして使用した場合、敷布、布団等を汚してしまう。
【課題を解決するための手段】
【０００４】  布やシート、板、棒などの任意物体よりなる基材と発泡ウレタン樹脂や発泡シリコンゴム等の粘着性を有する発泡樹脂に放射線、遠赤外線、自由電子、ラジウム線等を放射する放射性セラミックパウダーを混合した形成用樹脂を、前記基材の表面に発泡固着させた複数の放射性突起とよりなる放射性基材。
【発明の効果】
【０００５】（イ）本発明品はラジウム、ゲルマニウム、酸化ジルコニウム、シリカジヤモン等の機能性微粉末セラミックを発泡ウレタンとバインダーで処理することにより従来の含浸、塗布、印刷等の平面的処理による伝導熱方式を発泡ウレタンを用いて立体的処理をすることにより遠赤外線輻射熱（放射）を人体と突起物の間に生まれた空間で循環させることにより効率的に遠赤外線輻射熱を得ることができる。
柱状突起物を発泡ウレタンを用いて一枚のシーツに多数配置することにより柱状突起物の厚みの横面より人体の熱で温められた突起物から輻射熱として人体を温める。
温まった人体の熱が更に突起物を温め輻射熱を放射する。
この循環をすることにより人体は輻射熱とマイナスイオンを吸収することが出来る。
（ロ）シーツに本発明を利用し大便、尿洩れの対策としてフッ素樹脂をコーティングすることにより布団を汚すことなく安心して使うことが出来る。
（ハ）突起物を共振共鳴やマッサージ効果を得られる大きさ、形状にした場合全身に接触し、皮膚を刺激することにより、指圧、あんまの代用となり血行をよくし筋肉の疲れ、コリをほぐし、ゲートコントロールの作用により痛みも軽減される。
突起物が発泡ウレタンで柔らかく人肌にふれた時の違和感もなく気持ちよく利用出来る。
又、この際共振共鳴作用があることにより従来より小さな突起で同様の効果が得られる。
【発明を実施する為の最良の形態】
【０００６】  以下、本発明の第一実施の形態を説明する。
放射性生地の作り方
Ａ  ゲルマニウム含有ラジウム微粉末セラミックパウダー  ２０部
Ｂ  酸化ジルコニウム微粉末セラミックパウダー  ２０部
Ｃ  シリカジャモン微粉末セラミックパウダー  ２０部
Ｄ  接着用ノリ  ７０部
Ｅ  水性ウレタン発泡剤  ５０部
Ｆ  水  ２０部したゲルマニウム含有ラジウム微粉末パウダーと酸化ジルコニウム微粉末パウダーと遠赤外線を放射するシリカジャモン微粉末パウダーをよく混合分散する。
次に水性バインダーを覚拌しながら前記混合物を添加する。
次に水性ウレタン発泡剤を添加しながら混合し水を加えて粘度調整をしてインクを作る。インクが出来たら繊維にプリントする。
プリントした状態で低温で（３０℃〜４０℃）乾燥させる。
乾燥させたら乾燥機で１３０℃高温でウレタン発泡を行い放射性生地とする。
これを利用してシーツ、枕加工、サポータベスト、座布団、ヒザ掛、帽子等に縫製する。
シーツを敷布団の上に敷き、その上に寝るか、汚れを防ぐ意味で薄いシーツを敷いて寝ることにより、突起物が直接肌に接触する。
これにより、あんま、指圧の代用として筋肉の疲れ、こりをほぐしゲートコントロール作用で痛みを柔らげ生育光線と云われる遠赤外線輻射熱が発生し磁波により共振、共鳴、吸収作用で体内によく浸透し温熱効果で身体を温め血流が良くなる。
半導体であるゲルマニウムは温度が３２℃以上になると自由電子が発生し体内の生体電流の調節をする。
ラジウムはトロン化ラドン化となり放射性物質は低線量電離放射線分解により空気中の湿気成分である水分子はＨ２Ｏ→Ｈ＋＋ＯＨ−の反応により水素ガスは空気中に放散し水酸基イオンは水分子と水和結合してヒドロキシルイオンＨ３Ｏ２をつくる。
このヒドロキシルイオンがイオンを帯びている電子とともに肺内の毛細血管の細胞を通って血液中に入り血液の酸性化を弱アルカリ性に調節したり乳酸を中和したりする。
以下本発明の第二実施の形態について説明する。
本事例では介護用等に利用できるシーツとしたものである。
超活生シーツが出来たらフッ素コーティングを行い防水、撥水機能をつける。
コーティングの方法はスプレー方式か含浸方式で行い最後にロールで余分な液を絞り含水率を決め乾燥機で乾燥させる。
シリコンでも防水撥水機能をつけることが出来る。
防水撥水機能をつけることにより介護老人、病人、身体の不自由な人達の大便、尿洩れ等で布団等に直接尿を洩らしたり大便の付着を防ぐ事が出来衛生上環境面でもよい。
以下本発明の第三実施の形態について説明する。
Ａ  ゲルマニウム含有ラジウム微粉末セラミックパウダー  ２０部
Ｂ  酸化ジルコニウムセラミックパウダー  ２０部
Ｃ  シリカジヤモン微粉末セラミックパウダー  ２０部
Ｄ  接着ノリ  ７０部
Ｅ  水性ウレタン発泡剤  ５０部
Ｆ  水  ２０部
本発明は以上の構成でこれを使用するときは、ゲルマニウム含有ラジウム微粉末セラミックパウダーと酸化ジルコニウムとシリカジヤモンをよく混合分散する。
次に水性バインダーを覚拌しながら添加する。
次に水性ウレタン発泡剤を混合しながら添加し水を加えて粘度調整をしてインクを作る。インクが出来たら生地の上に型を乗せプリントし低温（３０℃〜４０℃）で乾燥させる。
乾燥させたら乾燥機で１３０℃高温でウレタン発泡を行い放射性生地として超活生シーツや、ヒザ掛、枕カバー、座布団、ベスト、サポータ、帽子等に使うことが出来る。
ヒザ掛、枕カバー、座布団、サポーター、帽子等に用いると突起物により筋肉の疲れこりをほぐしゲートコントロール作用により痛みを柔らげ遠赤外線輻射熱による温熱効果で血行がよくなりゲルマニウムにより自由電子の発生で体内の生体電流を整えラジウムによるトロン化、ラドン化による効果と放射性物質による低線量電離放射線分解により発生するＨ３Ｏ２−ヒドロキシルイオンによる血液の酸性化を弱アルカリ性に調節したり乳酸を中和する。